(57)【要約】      （修正有）【課題】来訪者の顔を常に適切な明るさで撮像し表示可能とする。【解決手段】ドアホン子器２０のカメラ部２４で撮像された画像に対して、ドアホン子器２０が備える画像処理手段たる映像処理部２５が画像処理を行うことにより当該画像における来訪者の顔の位置を検出する。カメラ部２４で撮像された画像の中から映像処理部２５で検出された顔の位置が適正な明るさとなるように調整手段たる映像処理部２５が画像の明るさを調整する。故に、来訪者の顔の位置が画面内のどこにあっても、来訪者の顔を常に適切な明るさで撮像し表示することができる。【選択図】図２
2006154964.tif 000002
【特許請求の範囲】
【請求項１】
住戸外の玄関などに設置されるドアホン子器と、住戸内に設置されてドアホン子器との間で通話を行うインターホン親機とで構成され、ドアホン子器は、来訪者を撮像する撮像手段と、インターホン親機との間で通話する通話手段とを備え、インターホン親機は、ドアホン子器との間で通話する通話手段と、ドアホン子器の撮像手段で撮像された画像を表示する表示手段とを備え、ドアホン子器又はインターホン親機の一方に、撮像手段で撮像された画像に対して画像処理を行うことにより当該画像における来訪者の顔の位置を検出する画像処理手段と、画像処理手段で検出された顔の位置が適正な明るさとなるように撮像手段で撮像された画像の明るさを調整する調整手段とを備えたことを特徴とするインターホンシステム。
【請求項２】
前記画像処理手段並びに調整手段をドアホン子器に備えたことを特徴とする請求項１記載のインターホンシステム。
【請求項３】
前記画像処理手段は、予め顔検出用テンプレート画像を記憶している顔検出用テンプレート画像記憶手段と、ドアホン子器の撮像手段で撮像した撮像画像及び顔検出用テンプレート画像記憶手段で記憶している顔検出用テンプレート画像の濃度勾配方向画像をそれぞれ抽出する濃度勾配方向抽出手段と、濃度勾配方向抽出手段で抽出した各濃度勾配方向画像を記憶する濃度勾配方向画像記憶手段と、濃度勾配方向画像記憶手段に記憶された顔検出用テンプレート画像の濃度勾配方向画像上の基準点と参照とする各座標点との距離及び基準点と座標点とを結ぶ線が座標点を通る水平軸と交差する角度の情報を抽出する形状特徴抽出手段と、形状特徴抽出手段で抽出した距離、角度の情報を顔検出用テンプレート画像の濃度勾配方向の値毎に分類して記憶する形状特徴記憶手段と、濃度勾配方向画像記憶手段に記憶されている撮像画像の濃度勾配方向画像の参照とする各座標点における濃度勾配方向の値、及び形状特徴記憶手段に記憶された形状特徴に基づいて、撮像画像の濃度勾配方向画像における基準点候補点に投票処理を行う投票手段と、投票手段によって求めた投票結果に基づいて、顔の位置を検出する顔検出手段とから成ることを特徴とする請求項１又は２記載のインターホンシステム。
【請求項４】
前記顔検出手段には、顔検出用テンプレート画像の大きさを変化させ、この大きさ変化に対応した投票値の変化に基づいて、顔の大きさを抽出する顔サイズ検出手段を備えていることを特徴とする請求項３記載のインターホンシステム。
【請求項５】
前記顔検出手段には、形状特徴における距離情報を変化させて、その距離情報の変化に応じた投票値の変化に基づいて、顔の大きさを検出する顔サイズ検出手段を備えていることを特徴とする請求項３記載のインターホンシステム。
【請求項６】
前記顔検出手段には、顔検出用テンプレート画像の回転角を変化させて、この回転角の変化に対応した投票値の変化に基づいて、顔の回転角を抽出する顔回転角抽出手段を備えていることを特徴とする請求項３乃至５の何れか記載のインターホンシステム。
【請求項７】
前記顔検出手段には、形状特徴における角度情報を変化させて、この角度情報の変化に応じた投票値の変化に基づいて、顔の回転角を抽出する顔回転角抽出手段を備えていることを特徴とする請求項３乃至５の何れか記載のインターホンシステム。
【発明の詳細な説明】
【技術分野】
【０００１】
本発明は、ドアホン子器とインターホン親機とで構成されるインターホンシステムに関し、特にドアホン子器のカメラで撮像した画像をインターホン親機で表示する機能を有したインターホンシステムに関するものである。
【背景技術】
【０００２】
ドアホン子器のカメラで撮像した画像をインターホン親機で表示する機能を有したインターホンシステムが従来より提供されている。この種のシステムにおいては、カメラで撮像される被写体（来訪者）が逆光となった場合に撮像画像全体の明るさ、すなわち、映像信号のレベルを大きくすることで被写体が黒くつぶれることを防止する機能（いわゆる逆光補正機能）をインターホン親機が有している。例えば、図１３に示すようにドアホン子器のカメラで撮像された画像においては、鉛直方向の上部に相対的に輝度の高い空が位置するとともに鉛直方向の下部に相対的に輝度の低い地面などが位置し、被写体である来訪者の顔が空と重なることが多いと考えられる。従って、撮像画像において地面に対応する下部位置の輝度を検出し、検出した輝度が最適値以上となるまで映像信号のレベルを大きくすることで逆光補正を行っていた（図１３（ｂ）参照）。
【０００３】
一方、１画面分の映像信号のサンプリング値を白と黒の各々の所定値と比較し、白の所定値を超えるサンプリング値の個数（計数値）と黒の所定値を下回るサンプリング値の個数（計数値）とを比較することで当該画面が逆光か否かを判断し、逆光と判断した場合に映像信号のレベルを大きくするようにしたインターホンシステムも提案されている（特許文献１参照）。
【特許文献１】実開平７−２４７５７号公報
【発明の開示】
【発明が解決しようとする課題】
【０００４】
ところが、画面下部の輝度が最適値になるように逆光補正したり、特許文献１に記載されている従来例のように１画面内の白の領域と黒の領域の大小関係に基づいて逆光か否かを判断して逆光補正を行う場合、画面内で優先的に最適な明るさに調整されるべき来訪者の顔の位置が考慮されていないため、逆光補正された画像における来訪者の顔が明るすぎたり、あるいは暗すぎて来訪者の顔を適切な明るさで撮像することができない虞があった。
【０００５】
本発明は上記事情に鑑みて為されたものであり、その目的は、来訪者の顔を常に適切な明るさで撮像し表示することができるインターホンシステムを提供することにある。
【課題を解決するための手段】
【０００６】
請求項１の発明は、上記目的を達成するために、住戸外の玄関などに設置されるドアホン子器と、住戸内に設置されてドアホン子器との間で通話を行うインターホン親機とで構成され、ドアホン子器は、来訪者を撮像する撮像手段と、インターホン親機との間で通話する通話手段とを備え、インターホン親機は、ドアホン子器との間で通話する通話手段と、ドアホン子器の撮像手段で撮像された画像を表示する表示手段とを備え、ドアホン子器又はインターホン親機の一方に、撮像手段で撮像された画像に対して画像処理を行うことにより当該画像における来訪者の顔の位置を検出する画像処理手段と、画像処理手段で検出された顔の位置が適正な明るさとなるように撮像手段で撮像された画像の明るさを調整する調整手段とを備えたことを特徴とする。
【０００７】
この発明によれば、ドアホン子器の撮像手段で撮像された画像に対して、ドアホン子器又はインターホン親機の一方が備える画像処理手段が画像処理を行うことにより当該画像における来訪者の顔の位置を検出し、撮像手段で撮像された画像の中から画像処理手段で検出された顔の位置が適正な明るさとなるように調整手段が画像の明るさを調整するため、来訪者の顔の位置が画面内のどこにあっても、来訪者の顔を常に適切な明るさで撮像し表示することができる。
【０００８】
請求項２の発明は、請求項１の発明において、前記画像処理手段並びに調整手段をドアホン子器に備えたことを特徴とする。
【０００９】
請求項３の発明は、請求項１又は２の発明において、前記画像処理手段は、予め顔検出用テンプレート画像を記憶している顔検出用テンプレート画像記憶手段と、ドアホン子器の撮像手段で撮像した撮像画像及び顔検出用テンプレート画像記憶手段で記憶している顔検出用テンプレート画像の濃度勾配方向画像をそれぞれ抽出する濃度勾配方向抽出手段と、濃度勾配方向抽出手段で抽出した各濃度勾配方向画像を記憶する濃度勾配方向画像記憶手段と、濃度勾配方向画像記憶手段に記憶された顔検出用テンプレート画像の濃度勾配方向画像上の基準点と参照とする各座標点との距離及び基準点と座標点とを結ぶ線が座標点を通る水平軸と交差する角度の情報を抽出する形状特徴抽出手段と、形状特徴抽出手段で抽出した距離、角度の情報を顔検出用テンプレート画像の濃度勾配方向の値毎に分類して記憶する形状特徴記憶手段と、濃度勾配方向画像記憶手段に記憶されている撮像画像の濃度勾配方向画像の参照とする各座標点における濃度勾配方向の値、及び形状特徴記憶手段に記憶された形状特徴に基づいて、撮像画像の濃度勾配方向画像における基準点候補点に投票処理を行う投票手段と、投票手段によって求めた投票結果に基づいて、顔の位置を検出する顔検出手段とから成ることを特徴とする。
【００１０】
この発明によれば、体と顔検出用テンプレート画像のサイズが一致することがあっても、それぞれの濃度勾配方向の値が異なるるために、体の位置に投票が集中しにくく、体を誤検出することはなく、また濃度勾配方向画像を用いることにより照明の変動に強い画像処理手段を実現できる。
【００１１】
請求項４の発明は、請求項３の発明において、前記顔検出手段には、顔検出用テンプレート画像の大きさを変化させ、この大きさ変化に対応した投票値の変化に基づいて、顔の大きさを抽出する顔サイズ検出手段を備えていることを特徴とする。
この発明によれば、顔の大きさが一定でなくも顔を検出することができる。
【００１２】
請求項５の発明は、請求項３の発明において、前記顔検出手段には、形状特徴における距離情報を変化させて、その距離情報の変化に応じた投票値の変化に基づいて、顔の大きさを検出する顔サイズ検出手段を備えていることを特徴とする。
【００１３】
この発明によれば、顔の大きさが一定でなくも顔を検出することができる。
【００１４】
請求項６の発明は、請求項３乃至５の何れかの発明において、前記顔検出手段には、顔検出用テンプレート画像の回転角を変化させて、この回転角の変化に対応した投票値の変化に基づいて、顔の回転角を抽出する顔回転角抽出手段を備えていることを特徴とする。
【００１５】
この発明によれば、顔の回転角が一定でなくても顔を検出することができる。
【００１６】
請求項７の発明は、請求項３乃至５の何れかの発明において、前記顔検出手段には、形状特徴における角度情報を変化させて、この角度情報の変化に応じた投票値の変化に基づいて、顔の回転角を抽出する顔回転角抽出手段を備えていることを特徴とする。
【００１７】
この発明によれば、顔の回転角が一定でなくても顔を検出することができる。
【発明の効果】
【００１８】
請求項１の発明によれば、ドアホン子器の撮像手段で撮像された画像に対して、ドアホン子器又はインターホン親機の一方が備える画像処理手段が画像処理を行うことにより当該画像における来訪者の顔の位置を検出し、撮像手段で撮像された画像の中から画像処理手段で検出された顔の位置が適正な明るさとなるように調整手段が画像の明るさを調整するため、来訪者の顔の位置が画面内のどこにあっても、来訪者の顔を常に適切な明るさで撮像し表示することができるという効果がある。
【発明を実施するための最良の形態】
【００１９】
（実施形態１）
図１及び図２は、本実施形態のインターホンシステムのシステム構成図並びにブロック図をそれぞれ示している。ここで、ドアホン子器２０は２線式の通話線及び２線式の制御線からなる２対の信号線Ｌ１によってインターホン親機（以下、「親機」と略す）１と接続される。
【００２０】
ドアホン子器２０は、親機１によって通話線に印加される電圧を受けて内部の動作電源を作成するとともに内部の通話経路と通話線との間を２線−４線変換する受電部２１と、マイクロホン及びスピーカを有する音声入出力部２２と、マイクロホンから入力する音声信号の増幅や親機１から通話線を介して送られてくる音声信号の増幅等を行う音声処理部２３と、ＣＣＤのような個体撮像素子とレンズなどの光学系を有して来訪者を撮像するカメラ部２４と、マイクロコンピュータを主構成要素とし、カメラ部２４から出力される映像信号に対して画像処理（後述する）を行うとともに画像処理された後の映像信号を周波数変調する映像処理部２５と、来訪者が呼出釦２８（図１参照）を押操作したときにオンするスイッチを有し該スイッチがオンしたときに通話線の線間電圧を変化させるなどして呼出信号を送出する操作部２６と、親機１との通話時などに制御線を介して給電されることにより表示素子（発光ダイオード）を点灯させる表示部２７とを備える。ここで、音声処理部２３から出力される音声信号（ベースバンド信号）に周波数変調された映像信号（以下、「ＦＭ映像信号」と呼ぶ）が受電部２１で多重化され、通話線を通して親機１に送られる。
【００２１】
親機１は、通話線に直流電圧を印加してドアホン子器２０への給電を行うとともに多重化されて伝送されてくる音声信号とＦＭ映像信号を分離する給電部２と、マイクロコンピュータを主構成要素とする親機制御部３と、マイクロホン及びスピーカを有する音声入出力部４と、音声入出力部４から入力する音声信号と給電部２で分離されたドアホン子器２０からの音声信号とを比較し、信号レベルが低い方の音声信号を減衰させることで通話方向（親機１→ドアホン子器２０又は親機１←ドアホン子器２０）を切り換える音声スイッチの機能を有した音声処理部５と、液晶ディスプレイ（ＬＣＤ）からなる表示部６と、ドアホン子器２０から送られてくるＦＭ映像信号を復調し表示部６に映像信号を出力して映像を表示させる映像処理部７と、通話釦１１（図１参照）の操作によりオンする通話スイッチやモニタ釦１２（図１参照）の操作によりオンするモニタスイッチを有し、各スイッチがオンしたときにそれぞれ対応する操作信号を親機制御部３に出力する親機操作部８と、商用電源より各部の動作電源を作成する電源部９とを備える。
【００２２】
次に親機１並びにドアホン子器２０の基本的な動作を説明する。
【００２３】
まず、来訪者がドアホン子器２０の呼出釦２８を押操作すると操作部２６が受電部２１から通話線を介して親機１に呼出信号を送信し、さらに映像処理部２５とカメラ部２４が起動してカメラ部２４で撮像した来訪者の映像が受電部２１から通話線を介して親機１に伝送される。親機１では、呼出信号を検出した親機制御部３が音声処理部５を制御して音声入出力部４のスピーカらから呼出音を鳴動させるとともに、ドアホン子器２０から伝送されてきたＦＭ映像信号を映像処理部７で復調させて来訪者の映像を表示部６に表示させる。そして、家人が親機１の通話釦１１を押操作すると親機操作部８から操作信号が出力され、この操作信号を受けた親機制御部３が音声処理部５並びに音声入出力部４と通話線の間に通話路を形成してドアホン子器２０との通話が可能となる。また、モニタ釦１２が押操作されて親機操作部８から操作信号が出力されると、この操作信号を受けた親機制御部３が給電部２から通話線を介してドアホン子器２０への給電を行い、ドアホン子器２０のカメラ部２４及び映像処理部２５が起動してカメラ部２４で撮像した映像が親機１に送られるため、表示部６にドアホン子器２０のカメラ部２４で撮像した映像が映し出される。
【００２４】
次に、本発明の要旨であるドアホン子器２０の映像処理部２５における画像処理及び逆光補正処理について説明する。
【００２５】
映像処理部２５は、上述のように呼出釦２８の押操作によりカメラ部２４及び映像処理部２５が起動すると、カメラ部２４で撮像された画像における来訪者の顔の位置を検出する画像処理（以下、「顔位置検出処理」と呼ぶ）を行った後、検出された顔の位置の画像の明るさ（輝度レベル）を検出し、その検出値が所定のしきい値以下であれば画像全体の明るさを大きくする逆光補正処理を行っている。
【００２６】
まず、顔位置検出処理について説明する。図３は映像処理部２５の顔位置検出処理を行う構成を示したブロック図であり、カメラ部２４からの撮像画像をＡ／Ｄ変換して取り込む画像入力手段２５１と、予め顔検出用テンプレートを記憶させている顔検出用テンプレート画像記憶手段２５２と、この顔検出用テンプレート画像記憶手段２５２に記憶されている図４（ａ）に示すような顔検出用テンプレート画像Ａ及び画像入力手段２５１が取り込んだ図５に示すような撮像画像Ｂの各濃度勾配方向画像Ａ’，Ｂ’（図４（ｂ）、図４（ａ）参照）を抽出する濃度勾配方向抽出手段２５３と、抽出した濃度勾配方向画像Ａ’，Ｂ’を記憶する濃度勾配方向画像記憶手段２５４と、濃度勾配方向画像記憶手段２５４に記憶されている顔検出用テンプレート画像Ａの濃度勾配方向画像Ａ’上の基準点Ｏと参照とする各座標点（以下参照点という）Ｒとの間の距離Ｌ、基準点Ｏと各参照点Ｒとを結ぶ線が参照点Ｒを通る水平軸（Ｘ軸）と交差する角度αの情報を抽出する形状特徴抽出手段２５５と、これら抽出された情報を顔検出用テンプレート画像Ａの濃度勾配方向の値θ毎に分離して記憶する形状特徴記憶手段２５６と、濃度勾配方向画像記憶手段２５４に記憶されている撮像画像Ｂの濃度勾配方向画像Ｂ’の各参照点Ｒ’における濃度勾配方向の値θ、及び形状特徴記憶手段２５６に記憶された形状特徴の情報に基づいて、濃度勾配方向画像Ｂ’における基準点候補点に投票処理を行う投票手段２５７と、この投票手段２５７によって求めた投票結果に基づいて、顔の位置を検出する顔検出手段２５８とで構成される。
【００２７】
各手段の動作を以下に説明する。
まず濃度勾配方向抽出手段２５３は、カメラ部２４で撮影し、画像入力手段２５１で入力した図５（ａ）に示す撮像画像Ｂ及び顔検出用テンプレート画像記憶手段２５２に記憶してある顔検出用テンプレート画像Ａからそれぞれの濃度勾配方向画像Ｂ’，Ａ’を抽出する。図４（ｂ）は顔検出用テンプレート画像Ａの濃度勾配方向画像Ａ’を。図６（ａ）は撮像画像Ｂの濃度勾配方向画像Ｂ’をそれぞれ示す。これらの濃度勾配方向画像Ａ’，Ｂ’の抽出に当たっては、図５に示すように３×３のｘ方向ソーベルフィルタ１２ｘ及びｙ方向ソーベルフィルタ１２ｙを入力濃淡画像に含まれる全ての画素に対して適用し、各画像における水平軸（Ｘ軸）方向の微分値ｄｘ及び垂直軸（Ｙ軸）方向の微分値ｄｙを（式１）、（式２）より求める。
【００２８】
ｄｘ＝（ｃ＋２ｆ＋ｉ）−（ａ＋２ｄ＋ｇ）…（式１）
ｄｙ＝（ｇ＋２ｈ＋ｉ）−（ａ＋２ｂ＋ｃ）…（式２）
（ａ〜ｈは、図７に示すように注目画素ｅ及びその注目画素ｅ近傍の８つの画素の値ａ〜ｄ、ｆ〜ｈを示すものである。）またこの時、微分の方向値θは、下記の（式３）で示される。
【００２９】
θ＝ｔａｎ-1（ｄｙ／ｄｘ）…（式３）
ここで、濃度勾配方向画像Ａ’，Ｂ’は前記濃度勾配方向値θを画素値に持つ画像であり、この画像を濃度勾配方向画像手段２５４に記憶する。
【００３０】
形状特徴抽出手段２５５は、まず濃度勾配方向画像記憶手段２５４に記憶されている顔検出用テンプレート画像Ａの濃度勾配方向画像Ｂにおいて重心を算出し、それを基準点Ｏとする。この図４（ｃ）に示す基準点Ｏと参照点Ｒとの距離Ｌ及び基準点Ｏと参照点Ｒとを結ぶ線と参照点Ｒを通る水平軸βとの間の角度αを算出し、濃度勾配方向γと線βとの間の角度、つまり濃度勾配方向値θ毎に顔検出用テンプレート画像Ａの特徴情報として形状特徴記憶手段２５６に記憶する。本実施形態で用いる顔検出用テンプレート画像Ａとしては、図４（ａ）に示すように平均的な人の顔の特徴部位（目、眉、鼻、口など）を含む形で作られたものを採用している。尚この顔検出用テンプレート画像Ａの形状特徴は予め形状特徴記憶手段２５６に記憶しておいても良い。
【００３１】
表１はこの形状特徴記憶手段２５６に記憶される形状特徴を示し、各参照点の濃度勾配方向値θ毎に、角度α、距離Ｌを記入した表形式となっている。
【００３２】
【表１】
2006154964.tif 000003
【００３３】
投票手段２５７は、濃度勾配方向画像記憶手段２５４に記憶されている図６（ａ）に示す撮像画像Ｂの濃度勾配方向画像Ｂ’の濃度勾配方向値θと、形状特徴記憶手段２５６に記憶されている顔検出用テンプレート画像Ａの形状特徴を用いて、下記の（式４）、（式５）より基準基準点候補点を求め、投票空間のその点に投票する。そして顔検出手段２５８は、図８（ａ）に示す投票結果から投票値のピークを検出して基準点Ｏ’（ｏ’ｘ，ｏ’ｙ）を決め、顔の位置を決定する。尚図８（ｂ）は図８（ａ）で示す区分範囲の投票値との関係を示す。
【００３４】
ｏｘ’＝Ｌ×ｃｏｓ（α）＋ｒ’ｘ  …（式４）
ｏｙ’＝Ｌ×ｃｏｓ（α）＋ｒ’ｙ  …（式５）
このように本実施形態の顔位置検出処理によれば、体と顔検出用テンプレート画像のサイズが一致することがあっても、それぞれの濃度勾配方向の値が異なるために、体の位置に投票が集中しにくく、体を誤検出することはなく、また濃度勾配方向画像を用いることにより照明の変動に強い画像処理手段（映像処理部２５）が実現できるという利点がある。
【００３５】
ところで、上述の顔位置検出処理において、顔検出用テンプレート画像記憶手段２５２に記憶された顔検出用テンプレート画像Ａの代わりに、図９（ａ）に示すように、顔の平均的な輪郭を含むように作られたテンプレート画像を用いてもよい。つまり顔の平均的な輪郭のテンプレート画像を用いているため、逆光時のように顔の特徴を示す目、眉、鼻、口等が正しく撮像されていない図９（ｃ）に示すような撮像画像Ｂにおける顔の位置を正しく検出することができるのである。尚図９（ｂ）は図９（ａ）に示す顔検出用テンプレート画像Ａから濃度勾配方向抽出手段２５３により抽出された濃度勾配方向画像Ａ’を示す。
【００３６】
上述のようにして顔の位置を検出した後、映像処理部２５は図１０（ａ）に示すように顔位置を含む範囲Ｓの明るさ（輝度レベル）を検出するとともに、その検出値を所定のしきい値と比較し、検出値がしきい値以下であれば、検出値がしきい値を超えるまで画像全体の明るさ（輝度レベル）を大きくする逆光補正処理を行う。その結果、図１０（ｂ）に示すように逆光補正された画像においては、来訪者Ｈの顔が適切な明るさで表示可能となる。
【００３７】
而して本実施形態によれば、ドアホン子器２０のカメラ部２４で撮像された画像に対して、ドアホン子器２０が備える画像処理手段たる映像処理部２５が画像処理を行うことにより当該画像における来訪者の顔の位置を検出し、カメラ部２４で撮像された画像の中から映像処理部２５で検出された顔の位置が適正な明るさとなるように調整手段たる映像処理部２５が画像の明るさを調整するため、来訪者の顔の位置が画面内のどこにあっても、来訪者の顔を常に適切な明るさで撮像し表示することができる。
【００３８】
（実施形態２）
本実施形態は、ドアホン子器２０の映像処理部２５における顔位置検出処理に特徴があり、それ以外の構成及び動作については実施形態１と共通であるから図示並びに説明を省略する。
【００３９】
映像処理部２５の基本構成は図３に示す実施形態１の構成と同じであるので、図３を参照する。そして、本実施形態の映像処理部２５は、図１１（ａ）に示すように、顔検出手段２５８内に顔サイズ検出手段２５８ａを備えた点に特徴がある。
顔サイズ検出手段２５８ａは、顔検出用テンプレート画像のサイズを変更しながら、投票手段２５７によって投票を行うことによって、図１１（ｂ）に示すようにテンプレート画像サイズ毎に投票結果より投票値のビークが得られるため、その値が最大になるサイズを顔のサイズとして検出する手段である。
【００４０】
このように本実施形態では、顔の大きさが一定でなくも顔を検出することができるという利点がある。
（実施形態３）
本実施形態は、ドアホン子器２０の映像処理部２５における顔位置検出処理に特徴があり、それ以外の構成及び動作については実施形態１と共通であるから図示並びに説明を省略する。
上記実施形態２では顔検出用テンプレート画像のサイズを変更させることで、顔サイズを検出するものであったが、本実施形態は上述した形状特徴における距離情報を変化させて顔サイズを検出する点に特徴がある。尚映像処理部２５の基本構成は図３に示す実施形態１の構成と同じであるので、図３を参照し、また顔検出手段２５８内には実施形態２と同様に顔サイズ検出手段２５８ａ（図１１（ａ）参照）を設けてある。
【００４１】
而して本実施形態の顔サイズ検出手段２５８ａ（図１１（ａ））は、形状特徴における距離Ｌに対する倍率ｓを変えて距離情報を変化させて、投票手段２５７によって、濃度勾配方向画像記憶手段２５４に記憶されている図６（ａ）に示す撮像画像Ｂの濃度勾配方向画像Ｂ’の濃度勾配方向値θと、形状特徴記憶手段２５６に記憶されている顔検出用テンプレート画像Ａの形状特徴を用いて、下記の（式６）、（式７）により基準点候補点を求め、投票空間のその点に投票する。そして図１１（ｂ）に示すように顔サイズ毎に投票結果より投票値のピークが得られるため、その値が最大になるサイズを顔のサイズとして検出するのである。
【００４２】
ｏｘ’＝ｓ×Ｌ×ｃｏｓ（α）＋ｒ’ｘ  …（式６）
ｏｙ’＝ｓ×Ｌ×ｃｏｓ（α）＋ｒ’ｙ  …（式７）
ｓ：距離の倍率
（実施形態４）
本実施形態は、ドアホン子器２０の映像処理部２５における顔位置検出処理に特徴があり、それ以外の構成及び動作については実施形態１と共通であるから図示並びに説明を省略する。また、映像処理部２５の基本構成は図３に示す実施形態１の構成と同じであるので、図３を参照する。
【００４３】
そして、本実施形態における映像処理部２５は、図１２（ａ）に示すように、顔検出手段２５８内に顔サイズ検出手段２５８ａ（実施形態２、３の顔サイズ検出手段２５８ａの何れでもよい）を備えるとともに、顔回転角出手段２５８ｂを備えた点に特徴がある。
【００４４】
一方、顔回転角抽出手段２５８ｂは、図１２（ｂ）に示すような顔が傾いて撮像された撮像画像Ｂに対応させるためのもので、顔検出用テンプレート画像Ａを回転させながら、投票手段２５７によって投票を行うことによって、図１２（ｃ）に示すように、回転角毎に投票結果より投票値のピークが得られるため、その値が最大になる回転角を顔の回転角として抽出する手段である。
【００４５】
本実施形態では、顔の回転角が一定でなくても顔を検出することができるという利点がある。
（実施形態５）
上記実施形態４での顔回転角抽出手段２５８ｂは顔検出用テンプレート画像Ａを回転させるものであったが、本実施形態の顔回転角検出手段２５８ｂでは、上述した形状特徴における角度情報を変換させる点に特徴がある。尚本実施形態の画像処理装置の基本構成は図１に示す実施形態１の構成と同じであるので、図３を参照し、また実施形態４と同様に顔検出手段２５８内に、例えば実施形態３に用いた顔サイズ検出手段２５８ａとともに顔回転角出手段２５８ｂを備えている（図１２（ａ）参照）
而して本実施形態の顔回転角抽出手段２５８ｂは、上述した形状特徴における角度情報を変化させて、投票手段２５７によって、濃度勾配方向画像記憶手段２５４に記憶されている濃度勾配方向画像の濃度勾配方向値θ（回転角をφ、撮像画像Ｂの濃度勾配方向をθ’とすると、θ＝θ’−φとなる。）と、形状特徴記憶手段７に記憶されている顔検出用テンプレート画像Ａの形状特徴を用いて、下記の（式８）、（式９）より基準点候補点を求め、投票空間のその点に投票する。そして図１２（ｃ）に示すように、各回転角毎の投票結果より投票値のピークが得られるため、その値が最大になる回転角を顔の回転角として検出する。
【００４６】
ｏｘ’＝Ｌ×ｃｏｓ（α＋φ）＋ｒ’ｘ  …（式８）
ｏｙ’＝Ｌ×ｃｏｓ（α＋φ）＋ｒ’ｙ  …（式９）
φ：回転角（この回転角の値を変えることで角度情報を変化させる）
ところで、上記実施形態１〜５では顔位置検出処理を行う画像処理手段と逆光補正処理を行う調整手段をドアホン子器２０の映像処理部２５で構成しているが、親機１の制御部３で画像処理手段及び調整手段を構成するようにしても構わない。
【図面の簡単な説明】
【００４７】
【図１】実施形態１のシステム構成図である。
【図２】同上のブロック図である。
【図３】同上におけるドアホン子器の映像処理部の回路構成図である。
【図４】同上における映像処理部の動作説明用の図であって、（ａ）は顔検出用テンプレート画像のイメージ図、（ｂ）は顔検出用テンプレート画像の濃淡勾配方向画像のイメージ図、（ｃ）は顔検出用テンプレート画像の形状特徴説明図である。
【図５】実施形態１乃至５における映像処理部の動作説明用の撮像イメージ図である。
【図６】同上における映像処理部の動作説明用の図であって、（ａ）は撮像画像の濃淡勾配方向画像のイメージ図、（ｂ）は撮像画像の形状特徴説明図である。
【図７】同上に用いるソーベルフィルタの説明図である。
【図８】同上の基準点候補点の投票結果の説明図である。
【図９】同上における映像処理部の動作説明用の図であって、（ａ）は顔検出用テンプレート画像のイメージ図、（ｂ）は顔検出用テンプレート画像の濃淡勾配方向画像のイメージ図、（ｃ）は検出対象の顔を撮像した撮像画像のイメージ図である。
【図１０】同上における映像処理部の動作説明用の図であって、（ａ）は逆光補正前の撮像画像のイメージ図、（ｂ）は逆光補正後の撮像画像のイメージ図である。
【図１１】（ａ）は実施形態２、３に用いる顔検出手段の構成図、（ｂ）は同上の顔検出手段の顔サイズ検出における顔サイズと投票値との関係説明図である。
【図１２】（ａ）は実施形態４，５に用いる顔検出手段の構成図、（ｂ）は同上の検出対象の顔を撮像した撮像画像のイメージ図、（ｃ）は同上の顔回転検出における顔回転角と投票値との関係説明図である。
【図１３】従来例における逆光補正の説明図である。
【符号の説明】
【００４８】
１  インターホン親機
２０  ドアホン子器
２４  カメラ部
２５  映像処理部
【図１】
2006154964.tif 000004
【図２】
2006154964.tif 000005
【図３】
2006154964.tif 000006
【図７】
2006154964.tif 000007
【図８】
2006154964.tif 000008
【図１０】
2006154964.tif 000009
【図１１】
2006154964.tif 000010
【図１３】
2006154964.tif 000011
【図４】
2006154964.tif 000012
【図５】
2006154964.tif 000013
【図６】
2006154964.tif 000014
【図９】
2006154964.tif 000015
【図１２】
2006154964.tif 000016